(57)【特許請求の範囲】
【請求項１】
底部断熱箱体と、この底部断熱箱体の背面側立ち上がり部の上面に配置された背面断熱板と、前記底部断熱箱体の下部に配置された脚部とを連結し、各部材の背面側には、これらを連結補強する補強板を有したショーケースにおいて、前記底部断熱箱体または前記背面断熱板は、外板と内板とその間に充填された発泡断熱材とによって形成され、前記底部断熱箱体および前記背面断熱板に補強板収容溝を設け、前記補強板収容溝は、前記外板にくぼみを設けて形成され、この外板の内面にはナット板を沿わせて固定し、前記補強板は前記補強収容溝に収容して、ボルトを介して前記ナット板に固定すると共にこの補強板の下部を前記脚部の背面に固定したことを特徴とするショーケース。
【発明の詳細な説明】
【０００１】
【発明の属する技術分野】
本発明は、底部断熱箱体と背面断熱板と脚部とを連結し、各部材の背面側に連結補強する補強板を有したショーケースに関する。
【０００２】
【従来の技術】
一般に、図６に示すように、断面Ｕ字型の底部断熱箱体１０１と、この底部断熱箱体の背面側立ち上がり部１０１ａの上面１０１ｂに配置された背面断熱板１０３と、前記底部断熱箱体１０１の下部１０１ｃに配置された脚部１０５とを連結し、各部材の背面側にて補強板１０７を介して連結補強する構造を有したショーケース１０９が知られている。この種のものでは、補強板１０７が、底部断面箱体１０１と背面断熱板１０３と脚部１０５との背面に突出して取り付けられている。
【０００３】
【発明が解決しようとする課題】
しかしながら、従来の構成では、補強板１０７が、底部断面箱体１０１と背面断熱板１０３と脚部１０５との背面に突出して取り付けられているので、この突出した補強板１０７が、運搬や設置の際に妨げとなり、例えば、トラック等の輸送手段によって運搬する際に、梱包幅が大きくなり、トラックの荷積みにロスが生じ、流通経費のコストアップにつながるという問題がある。
【０００４】
そこで、本発明の目的は、上述した従来技術が有する課題を解消し、補強板が突出することを防ぐことができるショーケースを提供することにある。
【０００５】
【課題を解決するための手段】
請求項１記載の発明は、底部断熱箱体と、この底部断熱箱体の背面側立ち上がり部の上面に配置された背面断熱板と、前記底部断熱箱体の下部に配置された脚部とを連結し、各部材の背面側には、これらを連結補強する補強板を有したショーケースにおいて、前記底部断熱箱体または前記背面断熱板は、外板と内板とその間に充填された発泡断熱材とによって形成され、前記底部断熱箱体および前記背面断熱板に補強板収容溝を設け、前記補強板収容溝は、前記外板にくぼみを設けて形成され、この外板の内面にはナット板を沿わせて固定し、前記補強板は前記補強収容溝に収容して、ボルトを介して前記ナット板に固定すると共にこの補強板の下部を前記脚部の背面に固定したことを特徴とする。
【０００６】
請求項１記載の発明では、前記底部断熱箱体または前記背面断熱板は、外板と内板とその間に充填された発泡断熱材とによって形成され、前記底部断熱箱体および前記背面断熱板に補強板収容溝を設け、前記補強板収容溝は、前記外板にくぼみを設けて形成され、この外板の内面にはナット板を沿わせて固定し、前記補強板は前記補強収容溝に収容して、ボルトを介して前記ナット板に固定すると共にこの補強板の下部を前記脚部の背面に固定したので、補強板の奥行きが補強板収容溝の奥行きに重複するので、補強板が背面から突出することを防ぐことができる。また、ナット板を外板の内面に沿わせて固定したので、補強板が、ボルトとナット板とによって挟持され、堅固に固定できる。
【０００９】
【発明の実施の形態】
以下、本発明の一実施形態を図面に基づいて説明する。
【００１０】
この実施の形態では、ショーケースの一例である低温ラウンド（コーナー）ショーケースに基づいて説明する。
【００１１】
図１において、１は低温ラウンド（コーナー）ショーケースを示している。図２は、この低温ラウンド（コーナー）ショーケース１のラウンド部のＩ−Ｉの断面図である。低温ラウンド（コーナー）ショーケース１は、開口３を有し、この開口３の奥に陳列空間である庫内５を備えている。この庫内５には、図２に示すように、３段の陳列棚７ａ、７ｂ、７ｃが設けられ、これらの下部にはデッキパン９が設けられている。陳列棚７ａ、７ｂ、７ｃとデッキパン９との上には、商品（図示せず）が陳列される。
【００１２】
陳列棚７ａ、７ｂ、７ｃは、庫内仕切板１１に取り付けられ、陳列棚７ａ、７ｂ、７ｃの裏面には蛍光灯１３ａ、１３ｂ、１３ｃが取り付けられている。デッキパン９は、デッキパン受けであるワイヤーラック１０の上に載置され、このワイヤーラック１０の一端１０ａが庫内仕切板１１に取付自在に取付られ、他端１０ｂが冷気吸込口１５の側壁１５ａに取り付けられている。
【００１３】
庫内仕切板１１の背面には、冷気通路１７が形成されており、この冷気通路１７の下部には冷却器１９が設けられ、上部には冷気吹き出し口２１が連結されている。冷却器１９の下方図中左に冷却器用送風機２３が取り付けられている。この冷却器用送風機２３は、実線矢印Ａに示すように、冷気吸込口１５から温度上昇した庫内冷気を吸い込む。吸い込まれた庫内冷気は、冷却器１９によって再冷却され、冷却器用送風機２３によって、冷気通路１７に送り出され、冷気吹き出し口２１から庫内５に供給されている。冷却器１９は図示しない圧縮機、凝縮器、減圧装置、凝縮器用送風機を含む冷凍装置に接続されている。
【００１４】
冷気吹き出し口２１の内側の近傍には、陳列棚７ａの上に陳列された商品を照らす蛍光灯１３ｄが設けられており、また、冷気吹き出し口２１外側近傍には、庫内５全体を照らす蛍光灯１３ｅが設けられており、この蛍光灯１３ｅの上部には、営業時間外に開口３を塞ぐナイトカバー（図示せず）を収納するオーバキャノピ２５が設けられている。
【００１５】
開口３の下部には、略水平方向に延びるフロントパネル２７が設けられ、このフロントパネル２７は中央に長手方向に延びるくぼみ２７ａを備えている。このフロントパネル２７の上縁周には上バンパ２９を備え、下縁周には下バンパ３１を備えている。
【００１６】
ところで、この低温ラウンドショーケース１には、庫内５の温度を一定に保つために、庫内５の底部に、外部からの熱を遮断する断面Ｕ字型の底部断熱箱体３３と、図３に示すように、この底部断熱箱体３３の背面側立ち上がり部３３ａの上面３３ｂに配置された背面断熱板３５とが設けられている。底部断熱箱体３３の下部３３ｃに脚部３７が配置され、底部断熱箱体３３と背面断熱板３５と脚部３７とは連結されている。符号３８は天面断熱板である。
【００１７】
この底部断熱箱体３３と背面断熱板３５とは、図４に示すように、外板３９と内板４１とその間に充填された発泡断熱材４３とによって形成され、この実施の形態では、図３に示すように、底部断熱箱体３３と背面断熱板３５と脚部３７との連結を補強するために、底部断熱箱体３３の背面立ち上がり部３３ａの背面３３ｄすなわち底部断熱箱体３３の外板３９と背面断熱板３５の背面３５ａすなわち背面断熱板３５の外板３９とに補強板収容溝４５が設けられ、この補強板収容溝４５に収納可能な補強板４７が設けられている。
【００１８】
補強板収容溝４５は、図４に示すように、外板３９にくぼみを設けて四角柱状に形成され、幅Ｗ１、奥行きＬ１を備えている。
【００１９】
補強板４７は、厚さＴ１、幅Ｗ２、奥行きＬ２を備え、断面コ字状の部材によって構成されている。
【００２０】
この実施の形態では、補強板収容溝４５の幅Ｗ１と補強板４７の幅Ｗ２は略同一に形成され、奥行きＬ１とＬ２も略同一に形成されている。
【００２１】
この補強板４７を介して、底部断熱箱体３３の背面立ち上がり部３３ａの背面３３ｄと背面断熱板３５の背面３５ａとが連結補強され、図５に示すように、脚部３７は、底面断熱箱体３３の背面立ち上がり部３３ａの背面３３ｄから補強板収容溝４５の奥行きＬ１分だけ内側に位置するように設けられているので、図３に示すように、補強板４７の下部４７ａが脚部３７の背面３７ａに固定可能になっている。
【００２２】
また、図４に示すように、底部断熱箱体３３と背面断熱板３５との外板３９の補強板収容溝４５の内面に沿わせて、ナット板４９が固定され、補強板４７が補強板収容溝４５に収容されて、ボルト５１を介してナット板４９に固定されている。
【００２３】
このナット板４９は、厚さＴ２、幅Ｗ３、奥行きＬ３を備え、断面コ字状の部材によって構成され、底部断熱箱体３３と背面断熱板３５との外板３９と内板４１との間に発泡断熱材４３を充填する際に、予め補強板収納溝４５の外板３９の内面に仮止めされて、発泡断熱材４３の体積が膨張することによって、補強板収納溝４５の外板３９の内面に密着するように設けられている。
【００２４】
この実施の形態では、以下の効果を奏す。
【００２５】
底部断熱箱体３３と背面断熱板３５とに補強板収容溝４５が設けられ、この補強収容溝４５に補強板４７が収容され、固定されると共に、この補強板４７の下部４７ａが脚部３７の背面３７ａに固定されたので、補強板４７の奥行きＬ２が補強板収容溝４５の奥行きＬ１に重複するので、補強板４７が背面から突出することを防ぐことができる。
【００２６】
補強板４７は断面コ字形の部材によって構成されるので、断面２次モーメントが、平板に比べ大きくなり、曲がりにくくなる。
【００２７】
ナット板４９を外板３９の内面に沿わせて固定したので、補強板４７が、ボルト５１とナット板４９とによって挟持され、堅固に固定できる。
【００２８】
以上、一実施形態に基づいて本発明を説明したが、本発明はこれに限定されるものではないことは明らかである。
【００２９】
【発明の効果】
請求項１記載の発明によれば、底部断面箱体と背面断熱板とに補強板収容溝が設けられ、前記底部断熱箱体または前記背面断熱板は、外板と内板とその間に充填された発泡断熱材とによって形成され、前記底部断熱箱体および前記背面断熱板に補強板収容溝を設け、前記補強板収容溝は、前記外板にくぼみを設けて形成され、この外板の内面にはナット板を沿わせて固定し、前記補強板は前記補強収容溝に収容して、ボルトを介して前記ナット板に固定すると共にこの補強板の下部を前記脚部の背面に固定したので、補強板の奥行きが補強板収容溝の奥行きに重複するので、補強板が背面から突出することを防ぐことができる。また、ナット板を外板の内面に沿わせて固定したので、補強板が、ボルトとナット板とによって挟持され、堅固に固定できる。
【図面の簡単な説明】
【図１】本発明による一実施の形態を示すショーケースの斜視図である。
【図２】図１に示すショーケースのＩ−Ｉ断面図である。
【図３】底部断熱箱体と背面断熱板と脚部との斜視図である。
【図４】底部断熱箱体と背面断熱板とを構成する断熱板の断面図である。
【図５】図１に示すショーケースのＩ−Ｉ平面図である。
【図６】従来の底部断熱箱体と背面断熱板と脚部との斜視図である。
【図７】図６に示す底部断熱箱体と脚部との平面図である。
【符号の説明】
１  ショーケース（低温ラウンド（コーナー）ショーケース）
３３  底部断熱箱体
３５  背面断熱板
３７  脚部
３９  外板
４１  内板
４３  発泡断熱材
４５  補強板収容溝
４７  補強板
４９  ナット板
５１  ボルト
【図１】
0003995359.tif 000002
【図２】
0003995359.tif 000003
【図３】
0003995359.tif 000004
【図４】
0003995359.tif 000005
【図５】
0003995359.tif 000006
【図６】
0003995359.tif 000007
【図７】
0003995359.tif 000008